(57)【要約】【課題】運搬時に嵩張ることなく、表面の外観がよく、しかも取付けが容易で且つ信頼性の高い取付けが可能な軽量気泡コンクリートパネルを提供すること。【解決手段】取付け金具を介して構築物に取付けられる軽量気泡コンクリートパネル１０において、該軽量気泡コンクリートパネル１０の裏面１０ｂに凹部１３を形成すると共に、該凹部１３内に取付け金物１２を収容し、且つ前記凹部１３と対応する位置の軽量気泡コンクリートパネル１０の表面１０ａから螺進させたネジ２０によって前記凹部１３内に収容した取付け金物１２を軽量気泡コンクリートパネル１０に取付け、更に前記軽量気泡コンクリートパネル１０の表面１０ａに意匠仕上げ１１を施したことを特徴としている。【選択図】　　　　図１
2004137711.tif 000002
【特許請求の範囲】
【請求項１】
取付け金具を介して構築物に取付けられる軽量気泡コンクリートパネルにおいて、該軽量気泡コンクリートパネルの裏面に凹部を形成すると共に、該凹部内に取付け金物を収容し、且つ前記凹部と対応する位置の軽量気泡コンクリートパネルの表面から螺進させたネジによって前記凹部内に収容した取付け金物を軽量気泡コンクリートパネルに取付け、更に前記軽量気泡コンクリートパネルの表面に意匠仕上げを施したことを特徴とする軽量気泡コンクリートパネル。
【請求項２】
上記取付け金物を軽量気泡コンクリートパネルに取付けるネジが、タッピングビスであることをことを特徴する請求項１に記載の軽量気泡コンクリートパネル。
【発明の詳細な説明】
【０００１】
【発明の属する技術分野】
本発明は、軽量気泡コンクリートパネルに関するもので、更に詳しくは、構築物への取付け前に予め取付け金具が装着され、且つ表面に意匠仕上げが施された軽量気泡コンクリートパネルに関するものである。
【０００２】
【従来の技術】
軽量気泡コンクリートパネルは、外壁として構築物等に取付けられる。
このような軽量気泡コンクリートパネルの取付けは、例えば、特開平９−２７３２８６号公報の図９，図１０に示されているように、パネル１を、該パネル１の表面からタッピングビス４によって構築物の躯体５に直接取付けたり、或いは特開２０００−３０３５９９号公報の図２，図３に示されているように、パネル１の内部にアンカー部材１２或いは３を埋設し、該アンカー部材１２或いは３にパネル１の裏面から取付け金物６を貫通したネジ１５或いは５を締結することによりパネル１の裏面に取付け金物６を取付け、該取付け金物６を介して構築物の躯体８に取付けたりしている。
【０００３】
【特許文献１】
特開平９−２７３２８６号公報
【特許文献２】
特開２０００−３０３５９９号公報
【０００４】
【発明が解決しようとする課題】
しかしながら、先ず上記特許文献１の図９，図１０に開示された技術では、パネルの表面側、即ち構築物の外側からのパネルの取付け作業となるため、該作業を実施するための足場の設置が必須となると共に、タッピングビスによる取付けの際に生じるパネル表面の凹みへの充填材の充填、及び表面仕上げの補修作業がパネルの取付け後に必須となると言う課題があった。
【０００５】
また、特許文献２に開示された技術は、パネルの裏面側、即ち構築物の内側からパネルの取付け作業ができるために上記した課題は生じないが、アンカー部材はパネルの製造時に埋設されるものであるため、構築物への取付寸法ごとにアンカー部材の埋設位置の異なる複数種のパネルを製造時から準備する必要があり、製造コストが高騰すると言う課題があった。また、埋設されたアンカー部材の位置は表部からは特定し難いため、取付け時にパネルの裏面から螺進させたネジがアンカー部材をそれる場合があり、信頼性の高い取付け金物の取付けができない憂いもあった。
【０００６】
本発明は、上述した従来の技術が有する課題に鑑み成されたものであって、その目的は、運搬時に嵩張ることなく、表面の外観がよく、しかも取付けが容易で且つ信頼性の高い取付けが可能な軽量気泡コンクリートパネルを提供することにある。
【０００７】
【課題を解決するための手段】
本発明の軽量気泡コンクリートパネルでは、取付け金具を介して構築物に取付けられる軽量気泡コンクリートパネルにおいて、該軽量気泡コンクリートパネルの裏面に凹部を形成すると共に、該凹部内に取付け金物を収容し、且つ前記凹部と対応する位置の軽量気泡コンクリートパネルの表面から螺進させたネジによって前記凹部内に収容した取付け金物を軽量気泡コンクリートパネルに取付け、更に前記軽量気泡コンクリートパネルの表面に意匠仕上げを施したことを特徴としている。
【０００８】
この発明の軽量気泡コンクリートパネルでは、取付け金具がパネルの凹部内に収容されているため、取付け金具がパネルの裏面から突出することがなく、運搬に際して、パネルをそのまま重ねることができるので嵩張ることがない。
【０００９】
また、この発明の軽量気泡コンクリートパネルでは、取付け金物をパネルの表面側からネジによってパネルに締結するので、その作業が簡単で、しかも強固に取付け金物をパネルに取付けることができると共に、この取付け金物はパネルの表部に現れているため、該取付け金物を介して構築物にパネルを容易に取付けることができる。
【００１０】
更に、この発明の軽量気泡コンクリートパネルでは、パネルの表面に意匠仕上げ、例えば、パネルの表面に意匠塗料をコーティングすること等が成されているため、パネルの取付け現場において表面仕上げ、或いは補修作業を行うことなく、外観の良好な外壁を構築することができる。
【００１１】
ここで、上記本発明の軽量気泡コンクリートパネルにおいて、上記取付け金物を締結するネジとして、タッピングビスを使用すれば、予め取付け金物に雌ネジを形成する必要がなくなり、取付け金具の取付け作業がより容易になると共に、パネルの表面に座堀り孔を形成しなくても、タッピングビスの頭部はパネル内部に埋設し、パネル表面を容易に平坦に形成できるので、意匠塗料のコーティング等の表面仕上げが良好に行われる。
【００１２】
【発明の実施の形態】
以下に、上記した本発明に係る軽量気泡コンクリートパネルを、図面に示した実施の形態に基づいて説明する。
【００１３】
図１は本発明に係る軽量気泡コンクリートパネル（以下、単にパネルと言う）の要部を示した分解斜視図，図２はその裏面図，図３は構築物に取付けた状態を示した要部断面図である。
【００１４】
このパネル１０は、その表面１０ａに意匠塗料１１をコーティングし、裏面１０ｂに取付け金物１２を配設したもので、以下のようにして作成される。
【００１５】
先ず、パネル１０は、軽量気泡コンクリートによって成形され、その成形の際、或いはその後の切削加工等により、パネル１０の裏面１０ｂに円形の凹部１３を形成する。
【００１６】
取付け金物１２は、鉄等の強度を有する材料によって形成され、この取付け金物１２は、上記パネル１０の裏面１０ｂに形成された凹部１３に嵌合される基板１５と、該基板１５の上辺及び下辺から該基板の面に対して垂直な方向に突出する係合部１６，１６によって形成されている。
【００１７】
上記取付け金物１２の基板１５は、その両側端１５ａ，１５ａの角部が凹部１３の周面１３ａに当接し、回転が阻止される状態で凹部１３に嵌合される。また、上記取付け金物１２の係合部１６，１６は、断面がＬ字状を成し、その先端１６ａ，１６ａは互いに対向するように配置されている。
【００１８】
また、パネル１０に設置される上記取付け金物１２に係合され、構築物Ａに取付けられる側の取付け金物１７は、上記取付け金物１２の係合部１６，１６間に挿入される舌片１８と、該舌片１８の一端で垂直方向に延設された取付け部１９とによって形成されている。そして、舌片１８は、その中央部に取付け金物１２の上記係合部１６，１６の先端１６ａ，１６ａ間に入り込む幅を持った凸部１８ａを有している。
【００１９】
そして、図３に示したように、パネル１０の上記凹部１３内に取付け金物１２を収容すると共に、パネル１０の表面１０ａ側からタッピングビス２０を捻じ込み、その先端を上記取付け金物１２の基板１５に螺入させて、取付け金物１２をパネル１０に締結する。
【００２０】
次いで、タッピングビス２０を捻じ込むことによりパネル１０の表面１０ａに形成された凹み部１４にモルタル等の充填剤２１をタッチアップ等の方法によって充填し、その後、平坦に形成されたパネル１０の表面１０ａに意匠塗料１１をコーティングする。
【００２１】
このようにして作成されたパネル１０は、現場にトラック等によって搬送され、該パネル１０の裏面１０ｂに取付けられた上記取付け金物１２の係合部１６，１６と基板１５との間に、上記取付け金物１７の舌片１８を挿入した状態で、構築物Ａにパネル１０の裏面１０ｂを突き当て、取付け金物１７の取付け部１９をネジ２２等によって締結させて、構築物Ａにパネル１０が固定される。
【００２２】
この状態におけるパネル１０は、図３に示したように、取付け金物１７の凸部１８ａが取付け金物１２の先端１６ａ，１６ａ間に入り込み、舌片１８が係合部１６，１６に当接して構築物Ａに確実に係止される。
【００２３】
なお、上記取付け金物１２，１７は、上記実施の形態に限定されるものではなく、図４（ａ）に示したように、取付け金物１２の係合部１６を１つにして、その先端１６ａを下方まで延設し、図４（ｂ）に示したように、取付け金物１７の舌片１８を係合部１６の先端１６ａに重ね合わせ、ネジ２３によって締結するようにしても良い。また、図５（ａ）に示したように取付け金物１２，１７を各々形成し、図５（ｂ）に示したように、取付け金物１７の舌片１８を係合部１６の上下の先端１６ａ，１６ａに重ね合わせ、ネジ２３によって締結するようにしても良い。
【００２４】
また、パネル１０の表面１０ａに施す意匠仕上げも、何ら上記実施の形態において示した意匠塗料１１のコーティングに限らず、例えば化粧タイルの貼着、木目が印刷されたシートの貼着等であっても良い。
【００２５】
【発明の効果】
以上説明したように、本発明の軽量気泡コンクリートパネルでは、取付け金具がパネルの凹部内に収容されているため、取付け金具がパネルの裏面から突出することがなく、運搬に際して、パネルをそのまま重ねることができ、嵩張ることがない効果がある。
また、本発明の軽量気泡コンクリートパネルでは、取付け金物をパネルの表面側からネジによってパネルに締結するので、その作業が簡単で、しかも強固に取付け金物をパネルに取付けることができる効果があると共に、この取付け金物はパネルの表部に現れているため、該取付け金物を介して構築物にパネルを容易に取付けることができる効果がある。
更に、本発明の軽量気泡コンクリートパネルでは、パネルの表面に意匠仕上げ、例えば、パネルの表面に意匠塗料をコーティングすること等が成されているため、パネルの取付け後において表面仕上げ、或いは補修作業等を行うことなく、外観の良好な外壁を構築することができる効果がある。
【図面の簡単な説明】
【図１】本発明に係る軽量気泡コンクリートパネルの要部を示した分解斜視図である。
【図２】本発明に係る軽量気泡コンクリートパネルの裏面図である。
【図３】本発明に係る軽量気泡コンクリートパネルを構築物に取付けた状態を示した要部断面図である。
【図４】（ａ）は本発明に係る軽量気泡コンクリートパネルを構築物に取付けるための取付け金物の他の実施の形態を示した斜視図であり、（ｂ）はその取付け金物を使用してパネルを取付けた状態を示した要部断面図である。
【図５】（ａ）は本発明に係る軽量気泡コンクリートパネルを構築物に取付けるための取付け金物のさらに他の実施の形態を示した斜視図であり、（ｂ）はその取付け金物を使用してパネルを取付けた状態を示した要部断面図である。
【符号の説明】
１０　　　軽量気泡コンクリートパネル
１１　　　意匠塗料
１２　　　取付け金物
１３　　　凹部
１３ａ　　凹部周面
１４　　　凹み部
１５　　　基板
１６　　　係合部
１６ａ　　先端
１７　　　取付け金物
１８　　　舌片
１９　　　取付け部
２０　　　タッピングビス
２１　　　充填剤
２２　　　ネジ
２３　　　ネジ
Ａ　　　　構築物
【図１】
2004137711.tif 000003
【図２】
2004137711.tif 000004
【図３】
2004137711.tif 000005
【図４】
2004137711.tif 000006
【図５】
2004137711.tif 000007